Podtech/llm-jp-corpus-v4-ja_patent huggingface dataset:
(57)【要約】      （修正有）【課題】従来浅漬けや塩もみ豆腐の水切りなどを作りたい時、簡単に押しができる浅漬け容器を提供する。【解決手段】下部に伸縮性を有す紐状または輪状のものを誘導するガイドを持つ外容器と、前記外容器に差し込む中押し部と、上部に伸縮性を有す紐状または輪状のものを誘導するガイドを持つ蓋とを備えた浅漬け容器。上下にゴムを掛ける突起状のものを設置することによって、手持ちの輪ゴムなどを手軽に利用出来る。さっとだしてさっと洗え仕舞え、そのまま冷蔵庫へ入れれたり食卓へ出したりも可能である。また加圧する必要の無い時はサラダや薬味、余った麺類などの保存容器ともして使え、中押し部を外して普通の保存容器としても使える多様性も有る。【選択図】図１
0003193070.tif 000002
【実用新案登録請求の範囲】
【請求項１】
上部・外容器に伸縮性を有す紐状または輪状のものを誘導する仕組みを持つ浅漬け容器。
【請求項２】
中押し器、上部・下部に伸縮性のある紐状または輪状のものを固定し加圧させる、浅漬け作成を目的とする一連のシステムとその部品。
【考案の詳細な説明】
【技術分野】
【０００１】
本考案は、伸縮性を持つ紐あるいは輪状のゴムを用いて加圧する仕組みを持つ容器を提案するものである。
【背景技術】
【０００２】
従来より用いられる浅漬け容器はバネか重しによる方法しかなく、もっと簡単に押しが出来る容器がないものかと考えた。
【０００３】
バネ式は完全に洗浄することが不可能だが、本仕組みは完全に洗浄可能で清潔に使用できるものである。
【０００４】
従来の重しを使用する仕組みは、忙しい主婦の働く壊れ物の多い台所にあっては重荷ですらあり、また収納スペースにも悩ましいものがあった。また、上がってきた水分によるあふれなどもあり使い勝手が良いものとは言えない。
【０００５】
料理の下準備の塩もみなどは加圧しないと通常１５分〜３０分はかかり、そのために容器を取り出し使用後には洗浄する手間が鬱陶しいものがあり、もっと時間短縮になる方法はないかと考えた。
【考案の概要】
【考案が解決しようとする課題】
【０００６】
重量、作業の時間短縮、多用途使用、手軽さにおいての問題。
【課題を解決するための手段】
【０００７】
どこのご家庭にもある輪ゴムなどの伸縮性をもつ紐を用い、上下に誘導する仕組みを設置・加圧するものである。
【考案の効果】
【０００８】
本考案の効果は、収納場所を取らず軽量簡単に塩もみ・浅漬けが作成でき、また、押し寿司、豆腐の水切り、余った野菜・麺などの保存などにも転用が効く容器であることも特筆すべき点である。
【図面の簡単な説明】
【０００９】
【図１】図１は本考案の基本的な仕組みを説明する全体図である。（実施例１）
【図２】図２は本考案の側面から見た断面図である。（実施例２）
【図３】図３は本考案の仕組みを応用した例である。（実施例３）
【考案を実施するための形態】
【００１０】
下部にゴムを掛けるためのガイドを設置した容器（Ａ）の中に、塩を振った野菜などを投入する。
【００１１】
野菜から出た水分が溢れないよう小さな穴を持つ中押しバスケット（Ｂ）を上から差し込む。
【００１２】
そのバスケットの上にゴムを掛けるガイドを持つ蓋（Ｃ）をはめ込み、輪ゴムを（Ａ）下部の突起から（Ｃ）の突起へ渡し加圧する。
【００１３】
これらの所作は使用者が自由にゴムのかけ方を変更したり本数・太さを増加させ加圧の増減を調節可能なものとする。
【符号の説明】
【００１４】
（A)下部にゴムを掛ける構造を持つ外容器。
（B）小さな穴など通水可能な構造を持つ中押しバスケット。
（C）上部にゴムを掛ける事が出来る外容器にサイズの合った蓋。
（ｄ）Ｃに準ず。
（ｅ）Ｂに準ず。
（ｆ）瀬戸物などの漬け物鉢。
（ｇ）fを乗せゴムを掛ける仕組みを持つ浅鉢状のもの。
（ｈ）輪ゴムなど。
【図１】
0003193070.tif 000003
【図２】
0003193070.tif 000004
【図３】
0003193070.tif 000005
【手続補正書】
【提出日】平成26年7月10日(2014.7.10)
【手続補正１】
【補正対象書類名】実用新案登録請求の範囲
【補正対象項目名】全文
【補正方法】変更
【補正の内容】
【実用新案登録請求の範囲】
【請求項１】
下部に伸縮性を有す紐状または輪状のものを誘導するガイドを持つ
外容器と、前記外容器に差し込む中押し部と、上部に伸縮性を有す紐状または輪
状のものを誘導するガイドを持つ蓋とを備えた浅漬け容器。
【請求項２】
下部に伸縮性を有す紐状または輪状のものを誘導するガイドを持ち
、上部に漬け物鉢を乗せる浅鉢状のものと、前記漬け物鉢に差し込む中押し部と
、上部に伸縮性を有す紐状または輪状のものを誘導するガイドを持つ蓋とからな
る、浅漬け作成を目的とする部品の組合せ。
(57)【要約】      （修正有）【課題】精密加工の誤差の許容度を緩和し、ポンピング性能を向上するポンプの複合式ロータを提供する。【解決手段】相互に噛み合って回転する一対のロータを具えた複合式ロータを具えたポンプのロータ本体３１において、相互に噛み合って媒体を圧送する複数の翼片３２のケーシング４０に接する外周上端部に軟性耐摩耗部材３３を結合して設けることにより、ポンプのケーシングとロータ間のギャップＧを補填する。ロータ本体内の翼片位置に対応する位置に中空部３４を設けるのが好ましい。【選択図】図３
0003193869.tif 000002
【実用新案登録請求の範囲】
【請求項１】
流体を圧送する複数の翼片を具えた１対のロータをケーシング内に配置し、各ロータの翼片が相互に噛み合って同期回転することにより、該ケーシングの吸入口から排出口に向けて流体を圧送するポンプの複合式ロータにおいて、
流体を圧送する複数の翼片のケーシングに接する外周上端部に軟性耐摩耗部材を結合して設けたことを特徴とする、
複合式ロータ。
【請求項２】
前記ロータ本体内の翼片位置に対応する位置に中空部を設けたことを特徴とする請求項１に記載の複合式ロータ。
【考案の詳細な説明】
【技術分野】
【０００１】
本考案は、ロータ構造に関し、特に、ポンプのロータに対して改良を行い、ロータ精密加工コストの低減を達成し、ポンプのポンピング性能を向上するロータ構造を提供する。
【背景技術】
【０００２】
図１に示すのは、従来のポンプであって、ケーシング１０及び２つの互いに噛合うロータ２０を具え、ケーシング１０一側に吸入口１１を有し、ケーシング１０他側に排出口１２を有し、２つの互いに噛合うロータ２０は、ケーシング１０内に配置されて、ケーシング１０内で相反する方向に等速回転を行い、更に、吸入口１１から媒体（例えば、液体、気体又はその他の流体）を吸入し、２つの互いに噛合うロータ２０による移送、圧縮を経て排出口１２から排出する。
【０００３】
上記従来のポンプは、２つの互いに噛合うロータ２０のケーシング１０内の円滑な回転を向上させ、ロータ２０の外周及びケーシング１０内側壁の間に適当なギャップＧを保持する必要があるが、該ギャップＧは、小さ過ぎても大き過ぎてもならず、該ギャップＧが小さすぎる場合回転過程で温度上昇によりロータが膨張し、ロータ２０外周とケーシング１０内側壁の接触摩擦を招いてロータ２０の回転不良を招き、ポンプのポンピング性能に影響を及ぼし、更には、ケーシング１０内側壁に修復不可能な摩損を起こす可能性がある。
該ギャップＧが大き過ぎる場合、リフロー現象を発生し、ポンプのポンピング性能を低下する。
従って、適切なギャップＧを如何に取得するかは、複雑な精密加工工程の如何に依存し、コストの増加を招く。
【０００４】
また、上記従来のポンプは、その２つの互いに噛合うロータ２０は、何れも実体金属により加工成型されるので、ロータ２０の重量を増加させ、ロータ２０の回転時のトルクの負荷を増加し、ポンプのポンピング性能を低下させる。
【先行技術文献】
【特許文献】
【０００５】
【特許文献１】特開２０１４−３７８１２号公報
【考案の概要】
【考案が解決しようとする課題】
【０００６】
本考案の目的は、上記従来のポンプに存在する欠陥を改善し、ポンプのロータに対して改良を行い、ロータの精密加工コストを低減することができ、ポンプのポンピング性能を向上することができるロータ構造を提供することにある。
【０００７】
本考案の更にもう１つの目的は、ロータの重量を軽減し、ロータの回転時のトルクの損耗を減少し、ポンプのポンピング性能を向上することにある。
【課題を解決するための手段】
【０００８】
上記の目的を達成する為、本考案の複合式ロータは、ロータ本体を具え、ロータ本体に複数の翼片を有し、翼片の外周上端部に軟性耐摩耗部材を結合し、該軟性耐結合部材は、ロータ加工の誤差が招くギャップを補填し、ロータの精密加工コストの低減に寄与し、ポンピング性能を向上する。
【０００９】
また、該ロータ本体上の翼片の位置に対応して中空部を設け、該中空部は、ロータの重量を軽減し、ロータの回転時のトルク損耗を減少すると共に、ポンプのポンピング性能の向上を補助することができる。
【考案の効果】
【００１０】
上記及び図面が示す実施例から分かるように、本考案は、確かに上記従来のロータに存在する欠陥を改善することができ、ロータの精密加工コストを低減し、ロータ重量を軽減し、ロータ回転時のトルクの損耗を減少し、ポンプのポンピング性能を向上する。
【図面の簡単な説明】
【００１１】
【図１】従来のポンプの平面構造図である。
【図２】本考案のロータ立体図である。
【図３】本考案の平面構造図である。
【考案を実施するための形態】
【００１２】
本考案が目的を達成する為に用いる技術手段及びその構造を更に明確に理解する為、図２、図３が示す実施例を合わせ、以下に詳細に説明する。
【００１３】
図２、図３に示すように、実施例中のロータ３０は、ロータ本体３１を含み、ロータ本体３１は、複数の翼片３２を有し、翼片３２の外周上端部に軟性耐摩耗部材３３を結合し、該軟性耐摩耗部材３３により、ロータ３０の加工の誤差が招くギャップを補填することができ、ロータ３０外周及びケーシング４０内側壁の間に精確なギャップＧを更に容易に取得することができ（図３参照）、ロータの精密加工コストを低減し、ポンプのポンピング性能を向上する。同時に、軟性耐摩耗部材３３は、ロータ３０外周及びケーシング４０内側壁が接触し、摩擦により損壊することを回避することができる。
【００１４】
前記ロータ３０（図２、図３を同時に参照）は、好適な実施例であり、それは、そのロータ本体３１上に翼片３２の位置に対応して中空部３４を設け、該中空部３４によりロータ３０の重量を軽減することができ、ロータ３０の回転時のトルクの損耗を減少し、ポンプのポンピング性能を向上する。
【００１５】
上記及び図面が示す実施例から分かるように、本考案は、確かに上記従来のロータに存在する欠陥を改善することができ、ロータの精密加工コストを低減し、ロータ重量を軽減し、ロータ回転時のトルクの損耗を減少し、ポンプのポンピング性能を向上し、顕著な進歩性を有し、且つその構造は、確かに従来にないものであり、実用新案要件に適合する。
【００１６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１７】
１０  ケーシング
１１  吸入口
１２  排出口
２０  ロータ
Ｇ  ギャップ
３０  ロータ
３１  ロータ本体
３２  翼片
３３  軟性耐摩耗部材
３４  中空部
４０  ケーシング
Ｇ  ギャップ
【図１】
0003193869.tif 000003
【図２】
0003193869.tif 000004
【図３】
0003193869.tif 000005
(57)【要約】      （修正有）【課題】ステッカーを貼ることで、記録として保存ができるステッカー型文書を提供する。【解決手段】裏面に接着手段が付いたステッカー型文書である。必要事項を記入する箇所を有する。子どもと親の約束事や夫婦間の約束事、教師と生徒やコーチと教え子、カップルや上司と部下、従業員とお客など関係性が成り立つ場面においての誓約を記すことができたり、宣言や反省書類、報告や目標など、文書に記載された固定の文言の間の空欄に必要事項を記載するだけで文書が完成する。【選択図】図１
0003193881.tif 000002
【実用新案登録請求の範囲】
【請求項１】
裏面に接着手段が付いたステッカー型文書
【請求項２】
必要事項を記入する箇所を有する請求項1に記載のステッカー型文書
【考案の詳細な説明】
【技術分野】
【０００１】
本考案は、ステッカー型書き込み式ステッカーである。文書の基本的な文言はすでにデザインとして印刷されており、空欄に各々で目的や署名などを記入するものとしている。ステッカーであることで、外せないことと記録として保存が可能になる。
【背景技術】
【０００２】
文書の空欄に必要なことを記載をするだけで多くの文書に用いることが可能で、そのまま平面な壁などに貼れる考案となっている。
【先行技術文献】
【特許文献】
【０００３】
【特許文献１】実用新案登録第３０６９１４５号
【考案の概要】
【考案が解決しようとする課題】
【０００４】
これまでの文書は紙ベースであり、記録としてや保存の観点で残らないことがあった。また、各文書の内容によっては口約束のみであったり、自分で書類を作成したり、管理方法を考えたり、額やがびょうなどで掲示する手間があった。
【課題を解決するための手段】
【０００５】
第１の考案は、裏面に接着手段が付いたステッカー型文書である。
第２の考案は、第１の考案において、必要事項を記入する箇所を有するステッカー型文書である。
【考案の効果】
【０００６】
ステッカーを貼ることで、記録として保存ができる。また、決められた文言があらかじめ印刷しているため、必要事項を記載するスペースを有し、裏面に接着するための素材がある。子どもと親の約束事や夫婦間の約束事、教師と生徒やコーチと教え子、カップルや上司と部下、従業員とお客など関係性が成り立つ場面においての誓約を記すことができたり、宣言や反省書類、報告や目標など、文書に記載された固定の文言の間の空欄に必要事項を記載するだけで文書が完成する。
【図面の簡単な説明】
【０００７】
【図１】本考案の実施例を示した図である(表面)
【図２】本考案の実施例を示した他の図である(裏面)
【考案を実施するための形態】
【実施例】
【０００８】
図1は決まったフォーマットのステッカー型文書の表面１である。そこに空欄２があり、そこに必要事項を記入する。そして空欄３には署名が出来るような工夫を施しており、裏面４には接着手段を有している。
実施例として、誓約書や詫び状、宣言書や反省文、報告書、各種案内などにも応用できる。
図2は裏面４である。５は裏面本体であり、接着手段が前面に現れている状態である。６は接着素材を保護していた紙である。接着手段は，通常の封筒等に用いるものが使用可能である。例えば、紙などの胴部分に接着剤を塗り、シリコン加工したテープで覆ったものが使用できる。この場合は、テープをはがして接着する。両面テープであっても良い。
【産業上の利用可能性】
【０００９】
ステッカー業界に新たな市場と価値を提供する
【符号の説明】
【００１０】
１  本考案のステッカー型文書の表面
２  空欄１
３  空欄２
４  本考案のステッカー型文書の裏面
５  裏面本体
６  接着素材を保護していた紙
【図１】
0003193881.tif 000003
【図２】
0003193881.tif 000004
(57)【要約】      （修正有）【課題】子どもたちが危険から回避するための文言を災害や事故、事件（地震・火災・洪水・土砂災害・不審者から身を守るための文言）のそれぞれを両面に載せ、尚且つ両面に異なったゲーム機能があるマスを設ける（将棋・すごろく）ことで従来型の遊びと、マス目から子どもたちが想像する独自の遊びが出来るよう発想力の発達にもアプローチしたデザインとしたハンカチを提供する。【解決手段】両面に文言２を記したハンカチであり、その文言の背景にゲーム３がプリントされており、異なる危険回避の文言と異なるゲームのマス目が表裏両面にプリントされたハンカチである。【選択図】図１
0003193899.tif 000002
【実用新案登録請求の範囲】
【請求項１】
文字、文言または文章とゲームが重ねて印刷されているハンカチ
【請求項２】
子供が災害や事故、事件の危険から回避させるための文字、文言または文章が印刷されている請求項１に記載のハンカチ
【請求項３】
印刷面が両面にある請求項１又は請求項２に記載のハンカチ
【考案の詳細な説明】
【技術分野】
【０００１】
本考案は、子どもたちを災害や事故、事件の危険から回避させるために両面に文言を記したハンカチである。大人がいない際に、自分たちの判断で危険を回避することと、親の心配を少しでも和らげるためのハンカチでもある。
【背景技術】
【０００２】
従来のハンカチには、何かの文言が記してあるものと、ゲームの図面などが記してあるものがあったが、それぞれ別のものであった。
【先行技術文献】
【特許文献】
【０００３】
【特許文献１】実用新案登録第３１７８７９３号公報
【特許文献２】実用新案登録第３０９０９０２号公報
【特許文献３】実開平６−１６４０５号公報
【特許文献４】特開２００１−１５９００１号公報
【考案の概要】
【考案が解決しようとする課題】
【０００４】
これまでのハンカチはハンカチの機能としてのものに、文字やイラストなどで主観に訴えかけるものが多かった。そして、緊急時に必要な情報を載せているハンカチとゲームの機能が記されたものが別々にあり、実際に子どもが常備するという観点では、積極的に子どもが常備するまでには至らない場合がある。そして、緊急時の事が記載されたものは個人情報を載せており、紛失した際などには情報が漏れてしまう恐れがある。
【課題を解決するための手段】
【０００５】
第１の考案は、文字、文言または文章とゲームが重ねて印刷されているハンカチである。
第２の考案は、第１の考案において、子供が災害や事故、事件の危険から回避させるための文字、文言または文章が印刷されているハンカチである。
第３の考案は、第１または第２の考案において、印刷面が両面にあるハンカチである。
【考案の効果】
【０００６】
本考案は、子どもたちが危険から回避するための文言を災害や事故、事件(地震・火災・洪水・土砂災害・不審者から身を守るための文言)のそれぞれを両面に載せ、尚且つ両面に異なったゲーム機能があるマスを設ける(将棋・すごろく)ことで従来型の遊びと、マス目から子どもたちが想像する独自の遊びが出来るよう発想力の発達にもアプローチしたデザインとしている。ゲーム機能を合わせることで、子どもがハンカチを常備する可能性が高まり、親などの家族も常備させようとする可能性が高まることが期待できる。そしてハンカチとしての使用も出来るため、常備していれば火災時の煙に対してや災害時の防塵対策として口や鼻を守ることができる。
【図面の簡単な説明】
【０００７】
【図１】本考案の実施例を示した図である(第一の面)
【図２】本考案の実施例を示した図である(第二の面)
【考案を実施するための形態】
【実施例】
【０００８】
本ハンカチは第１の面１ともう一方の第２の面５からなる。図1の第１の面には地震発生時の避難に関しての文言２が箇条書きにしてあり、火災発生時の避難に関しての文言４の箇条書きが縦に2種類プリントされて見やすくなっている。地震発生時の避難に関しての文言２と、火災発生時の避難に関しての文言４の背景に将棋のマス目３をプリントしている。第２の面５には洪水と土砂災害の兆候や危険についての文言６の箇条書と、不審者への注意事項に関しての文言８の箇条書の2種類をプリントしており、洪水と土砂災害の兆候や危険についての文言と、不審者への注意事項に関しての文言８の背景にはすごろくのマス目７をプリントしている。第１の面１ともう一方の第２の面５ともに、文言は主に、ゲームは従にしている。
【０００９】
なお、1：地震が起きたら、2：地震対策、3：風邪予防、4：インフルエンザ予防、5：インフルエンザにかかったら、6：食中毒予防、7：食中毒にかかったら、8：火災が起きたら、9：火災予防、10：熱中症予防、11：熱中症対処、12：不審者をみたら、13：不審者対策、14：ゲリラ雷雨が発生したら、15：ゲリラ雷雨対策、16：土砂災害危険性、英語、外国語、数式、化学式、緊急時の電話番号、応急処置の方法
などが候補として挙げられる。
【００１０】
ゲームには、リバーシ、囲碁、あみだくじ、点数板などが候補として挙げられる。
【産業上の利用可能性】
【００１１】
ハンカチ業界に新たな市場と価値を提供する
【符号の説明】
【００１２】
１  本考案の実施例を示した図である(第一の面)
２  地震発生時の避難に関しての文言
３  将棋のマス目
４  火災発生時の避難に関しての文言
５  本考案の実施例を示した図である(第二の面)
６  洪水と土砂災害の兆候や危険についての文言
７  すごろくのマス目
８  不審者への注意事項に関しての文言
【図１】
0003193899.tif 000003
【図２】
0003193899.tif 000004
(57)【要約】      （修正有）【課題】根付けの先端部に静電植毛により形成した導電性繊維を配置することにより、根付けとして携帯機器に接続できるばかりか、入力ペンとして使用することができる根付けを提供する。【解決手段】根付けは、自在の形状を有する導電性の根付け本体１と、本体１に電気的に接続された導電性先端部２と、やはり本体１に接続されたストラップ部３とからなる根付けであって、先端部２が静電植毛により形成した導電性繊維からなる。【選択図】図１
0003193808.tif 000002
【実用新案登録請求の範囲】
【請求項１】
自在の形状を有する導電性の根付け本体と、前記本体に電気的に接続された導電性の先端部と、やはり前記本体に接続されたストラップ部とからなる根付けであって、前記先端部が静電植毛により形成した導電性繊維からなることを特徴とする根付け。
【考案の詳細な説明】
【技術分野】
【０００１】  本考案は、スマートホン等のタッチ入力装置に入力することのできるタッチペン機能を有する根付けに関する。
【背景技術】
【０００２】  携帯電話等には、飾りとして或いは保持固定用として種々の根付けが接続されることが多い。その根付けの形状としては多種多様のものが採用されている。また最近ではスマートホン等の静電容量型入力装置が普及しており、このような装置への入力用としてタッチペンが開発されている。【０００３】  特許文献１には、導電性のペン本体と、このペン本体に電気的に接続された導電性のペン先とを備えた入力ペンが開示されている。このような入力ペンは通常のペンと類似の細長い形状をしており、入力装置とは別途に保持・使用するための構成となっている。ペンによる入力を頻繁に行う使用者にとっては便利であるが、入力装置本体とペンとが別々であるため、一般の人が持ち運ぶには不便であった。また、ペンが細長いためスマートホン等と一緒に携帯することが困難であり、ペンを落としたり置き忘れたりする危険性があった。【０００４】  一方、特許文献２にはアニメーションのキャラクター等の頭部を形成した金属製鈴からなる根付けが開示されている。このような根付けは携帯機器等に取り付けて使用されるが、実用的な効果はほとんどない。
【特許文献】
【０００５】
【特許文献１】特開平１０−３９９８９号公報
【特許文献２】実用新案登録第３１８７２８１号公報
【考案の開示】
【考案が解決しようとする課題】
【０００６】  上記問題点に鑑みて本考案は、根付けの先端部に静電植毛により形成した導電性繊維を配置することにより、根付けとして携帯機器に接続できるばかりか、入力ペンとして使用することができる根付けを提供することを課題とする。
【課題を解決するための手段】
【０００７】  上記課題を解決するため本考案による根付けは、自在の形状を有する導電性の根付け本体と、前記本体に電気的に接続された導電性の先端部と、やはり前記本体に接続されたストラップ部とからなる根付けであって、前記先端部が静電植毛により形成した導電性繊維からなることを特徴とする。
【考案の効果】
【０００８】  本考案は、根付けとして携帯機器に接続して一緒に持ち運びできるだけでなく、入力ペンとして使用することができる。
【考案を実施するための最良の形態】
【実施例】
【０００９】  以下、図面に基づいて本考案の好適な実施例について説明する。図１に本考案による根付けをスマートホンに取り付けた状態を示す。本考案による根付けは、根付け本体１、導電性先端部２及びストラップ部３とからなり、取り付け部４においてスマートホン１０に取り付けられている。【００１０】  根付け本体１は導電性を有していればどのような形状でもかまわない。ただし、スマートホンと一緒に持ち運ぶことを考慮すると、通常のペンのようにあまり細長い形状は望ましくない。また、ストラップ部３は通常市販されているものと何ら変わらない。【００１１】  導電性先端部２については、根付け本体１より突出していて根付け本体１と電気的に接続されている必要がある。この導電性先端部２は、導電性基台の表面に接着剤を塗布し、乾燥する前に導電性繊維を静電植毛するという通常の静電植毛技術により形成することが可能である。導電性繊維を形成する材料としては金属やカーボンが含まれる市販の導電性繊維が利用できるが、抵抗率が１０４〜１０８Ωの繊維であれば他の繊維でも利用できる。【００１２】  図２に本考案による根付けを入力ペンとして使用する様子を示した。根付け本体１がストラップ部３によりスマートホン１０に取り付けられているため、ペンとしての自由度は若干低くなるが、導電性先端部２でスマートホン１０の画面をタッチすることにより入力が可能となる。
【産業上の利用可能性】
【００１３】  本考案は、根付けとして携帯機器に接続して一緒に持ち運びできるだけでなく、入力ペンとして使用することができるため、安価で簡便な入力ペンとして使用することが可能である。
【図面の簡単な説明】
【００１４】
【図１】本考案による根付けをスマートホンに取り付けた状態を示す。
【図２】本考案による根付けを入力ペンとして使用する様子を示す。
【符号の説明】
【００１５】１    根付け本体
２    導電性先端部
３    ストラップ部
４    取り付け部
１０  スマートホン
２０  指
【図１】
0003193808.tif 000003
【図２】
0003193808.tif 000004
(57)【要約】      （修正有）【課題】壁付コンセントに差込まれた時、コードの重みによる傾きで壁付コンセントとプラグ上部に隙間が生じることがないプラグを提供する。【解決手段】プラグの差し刃１とプラグの差し刃２（ダミー）を壁付コンセントの２個口に対応した箇所に設け、プラグの差し刃（ダミー）側の下面にコード引出し３を２個設ける。【選択図】図１
0003193802.tif 000002
【実用新案登録請求の範囲】
【請求項１】
コンセント２個口分の差込みを設け、かつコード引出しを２個設けたプラグ。
【考案の詳細な説明】
【技術分野】
【０００１】壁付コンセント２個口分とコード２分岐分を１つにしたプラグを考案・作製するものである。
【背景技術】
【０００２】壁付コンセントは１個口に１個のプラグが使用されている。
【考案の概要】
【考案が解決しようとする課題】
【０００３】壁付コンセントの大半は、テーブルタップのプラグが差込まれて放置されている。
そのため、プラグと壁付コンセントの差込み部分の間にゴミが溜まると共に、プラグがコードの重みより下に傾き、壁付コンセントの差込み部分とプラグの上部に隙間を作り、その間にゴミが溜まるために電気火災の危険性があった。
【課題を解決するための手段】
【０００４】１個のプラグを壁付コンセントの２個の口に差込むことによって、プラグに加わるコードの重さによるプラグの傾きをなくした。また、差込みに使用した壁付コンセントの２個口分のコードの引出しをプラグの下部に設けた。
【考案の効果】
【０００５】コードの重さによるプラグの傾きが無くなると共に、壁面に垂直な状態でいろいろな形状のプラグが取付けられていた壁付コンセントが、考案したプラグだけになり、防災上の安全性が増すことになる。
【図面の簡単な説明】
【０００６】
【図１】プラグの斜視図である。
【図２】プラグの平面図である。
【図３】プラグの側面図である。
【考案を実施するための形態】
【０００７】以下、本考案を実施するための形態について説明する。
プラグの差し刃（１）部分を壁付コンセントの２個口の内、上部に対応した箇所に設ける。コンセントから電気を受ける。
プラグの差し刃（ダミー）（２）の部分を壁付コンセントの２個口の内、下部に対応した箇所に設ける。コンセントから電気は受けないが、プラグを安定する。
コード引出し（３）をプラグの差し刃（ダミー）（２）側の面に２個設ける。
本考案は、以上のような構造である。
これを使用するときは、プラグを壁付コンセントの２個口にコードの引出し側を下にして差込めばよい。
【図１】
0003193802.tif 000003
【図２】
0003193802.tif 000004
【図３】
0003193802.tif 000005
(57)【要約】      （修正有）【課題】草の根切れまででき、草の再発芽を遅らせ、同時に刈取り後、綺麗に仕上げることができる回転刈刃を備えた刈払機を提供する。【解決手段】刈払機本体１に装着される回転刈刃３であって、外周に設けた切刃４は交互に上下方向に同じ角度で折り曲げＶ字形状の刃並びを形成する。【選択図】図１
0003193801.tif 000002
【実用新案登録請求の範囲】
【請求項１】
回転刈刃の外周に切刃を設けた刈払機において、前記切刃を交互に上下方向に折り曲げて形成した回転刈刃を備えた刈払機。
【考案の詳細な説明】
【技術分野】
【０００１】  本考案は、刈払機に関し、回転台中央に取付穴を設け、特に回転刈刃の外周に設けた切刃を交互に上下方向に折り曲げた回転切刃を備えた刈払機に関するものである。
【背景技術】
【０００２】  従来の回転刈刃は回転台外周に切刃、切刃全体が回転台に水平の刃並びとなっており、回転刈刃を回転させ草の葉、茎を切断していた。
【先行技術文献】
【特許文献】
【０００３】
【特許文献１】  実開平５−５５８３７号公報
【考案の概要】
【考案が解決しようとする課題】
【０００４】  従来は特許文献１記載のように刈刃は総て回転台に水平方向になっている。そのため草の葉、茎は切断できるが根に関しては素早く切断できなかった。本考案は、草の根元から切断して草の再発芽を遅らせ、同時に地面もかき回され刈取り後、綺麗に仕上げることができる刈払機を提供することである。
【課題を解決するための手段】
【０００５】  本考案は、回転台中央に取付穴を設け、回転刈刃の外周に切刃を設けた刈払機に於いて、前記切刃を交互に上下方向に折り曲げて形成した回転刈刃を備えた刈払機としたものである。
【考案の効果】
【０００６】  本考案によれば、田畑の雑草、その他一般の草刈りで素早く草の葉、茎、根までも切断することができ、また同時に地面もかき回され、草刈り後仕上がりを綺麗にすることができる。
【図面の簡単な説明】
【０００７】
【図１】実施例の回転刈刃を刈払機への取付け全体正面図
【図２】縦からの切刃並び
【図３】回転刈刃の平面図
【考案を実施するための形態】
【０００８】  本考案の図３回転台中央に取付穴を設け、図２特に回転刈刃の外周に設けた切刃を交互に上下方向に折り曲げた回転切刃を図１刈払機ギヤケース下部の取付穴に接続、エンジン駆動により回転させながら地面に少し角度をつけ前後左右に移動する。
【産業上の利用可能性】
【０００９】  本考案は、田畑の雑草、その他一般草刈りを行う刈払機に用いる回転刈刃であって、回転台中央に取付穴を設け、特に回転刈刃の外周に設けた切刃を交互に上下方向に折り曲げた回転刈刃を備えた刈払機に関するものである。
【符号の説明】
【００１０】１．刈払機本体
２．ギヤケース
３．回転刈刃
４．切刃
５．回転台
６．中央の取付穴
【図１】
0003193801.tif 000003
【図２】
0003193801.tif 000004
【図３】
0003193801.tif 000005
【手続補正書】
【提出日】平成26年8月4日(2014.8.4)
【手続補正２】
【補正対象書類名】明細書
【補正対象項目名】０００９
【補正方法】削除
【補正の内容】
【手続補正３】
【補正対象書類名】明細書
【補正対象項目名】０００８
【補正方法】変更
【補正の内容】
【０００８】  添付図面に従って一実施例を説明する。本考案の図３回転台中央に取付穴６を設け、図２回転台の外周に設けた切刃を交互に上下方向に同じ角度で折り曲げＶ字形状の刃並び４の回転刈刃を、図１刈払機ギヤケース下部２の取付穴に装着、エンジン駆動により回転させながら地面に少し角度をつけ前後左右に移動することにより、田畑の雑草、その他一般の草刈りにおいて素早く葉、茎、根切りを切断することができ、また、同時に地面も切刃４によりかき回され草の再発芽を遅らせることができる。
(57)【要約】      （修正有）【課題】洋式便器使用における放尿時において、着座位における尿飛散を防止する洋式便器用尿飛散防止具を提供する。【解決手段】裏面に弱粘着層を有する軟質素材による任意形状のシート体１を設け、シート体に尿飛散防止のためのガード体６，７を、シート体端部裏面に設けたことを特徴とする。【選択図】図７
0003193671.tif 000002
【実用新案登録請求の範囲】
【請求項１】
その裏面に弱粘着層を有する軟質素材による任意形状のシート体を設け、該シート体に尿飛散防止のためのガード体を、シート体端部裏面に設けたことを特徴とする洋式便器用尿飛散防止具。
【請求項２】
シート体をスリットを有するものとし、便器内蓋への粘着時において、シート体が該内蓋内面に沿って粘着可能とした請求項１記載の洋式便器用尿飛散防止具。
【請求項３】
ガード体に、ガード体端からシート体への固着位置に至る複数個のスリットを有するものとした請求項１または２記載の洋式便器用尿飛散防止具。
【請求項４】
ガード体を、互いに近接して位置する上部ガード体と下部ガード体にて形成し、各ガード体に設けたスリット位置を、互いに違えて設けてなる請求項３記載の洋式便器用尿飛散防止具。
【考案の詳細な説明】
【技術分野】
【０００１】  この考案は、洋式便器（以下、便器と略称する）の内蓋に取り付けて用いる尿飛散防止のための用具に関する。
【背景技術】
【０００２】  従来より、便器は必須物品として多用されているが、この便器に取り付けて用いる尿飛散防止のための用具は見当たらない。
【考案の概要】
【考案が解決しようとする課題】
【０００３】  家庭用便器を用いての放尿時において、男性は立位にて行う場合が多いが、近年、着座位での放尿も多くなってきている。これは一つには尿飛散が関わっていると思われる。
立位で放尿のとき、放尿終期の滴が便器外に落下してトイレ床面を汚すのである。
着座位での放尿にもまた問題がある。この場合は体位の関係から、放尿方向が便器上縁近傍となり、この便器上縁と内蓋との間隙から尿が外方へと漏れることがあるが、これを防止する有用な手段が見当たらないのが現状である。
本案は以上に鑑み、便器内蓋に装着することにて上記問題を解決する新規かつ有用なる手段を提供することを目的として発案されたものである。
【課題を解決するための手段】
【０００４】  課題を解決する手段として本案は以下の構成とした。
すなわち、その裏面に弱粘着層を有する軟質素材による任意形状のシート体を設け、該シート体に尿飛散防止のためのガード体を、シート体端部裏面に設ける。本案は以上の構成よりなる洋式便器用尿飛散防止具である。
【考案の効果】
【０００５】  本案は以下の効果を有する。
１．簡易構成の物品であるので、その取り付けは容易であり、また半ば消耗品的に用いる  ことができる。
２．便器内蓋下面と便器上面間の間隙を覆うようにガード体が位置して、尿飛散を確実に  防止することができる。
３．ガード体を、上部ガード体と下部ガード体にて構成し、各ガード体に複数個のスリッ  トを設け、かつ各ガード体のスリット位置を互いに違えて設けることにて、本品装着時  におけるスリット開部が他方のガード体にて塞がれるために、尿飛散防止能力を向上さ  せることができる。
【図面の簡単な説明】
【０００６】
【図１】  本考案の平面図
【図２】  本考案の正面図
【図３】  本考案の底面図
【図４】  本考案の左側面図
【図５】  本考案の装着状態説明図（内蓋平面視）
【図６】  本考案の装着状態説明図（内蓋を上げた場合）
【図７】  本考案の機能説明図
【考案を実施するための最良の形態】
【０００７】  以下、本考案の実施形態について説明する。
図において、１はシート体で、適度の柔軟性と弾力性を有する所定厚の軟質布体の下部を逆台形状とし、上部を三分割した上縁円弧状の舌片部２を有するとともに、各舌片間にスリット３を設けた構成であり、舌片部裏面には弱粘着層４が設けられる。この粘着層上には剥離紙（図示略）が粘着される。５はガード体であり、上部ガード体６と下部ガード体７とから構成される。
各ガード体は、軟質発泡合成樹脂にて形成される細長直方体形状を有している。
下部ガード体は、前記シート体裏面端にその端部を一致させて垂直に固着され、上部ガード体は下部ガード体に近接して同様にシート体裏面に固着される。
図３にて示すように、下部ガード体は上部ガード体より長く形成され、各ガード体にはガード体スリット８が、ガード体端からシート体への固着位置まで複数個設けられ、図のごとく下部ガード体のスリット位置に対し、上部ガード体スリットの位置は底面視においてその位置を違えている。【０００８】  本案の使用に際しては、図５〜図７にて示すように、便器内蓋（ドーナツ型内蓋）の前方上面に本案の舌片部を剥離紙を除去して粘着させ、内蓋の内面に沿って略直角にシート体中間部を折り曲げる。このとき、折り曲げたシート体の下部は便器内蓋に沿って円弧状に開き、このときガード体はガード体スリットを有しているので、同様に円弧状に開く。すなわち、便器内蓋下方に図７のごとくガード体が位置し、このガード体は便器内蓋下面と便器上縁間の間隙を覆うこととなるので、この空隙からの尿飛散は防止される。
なお、この空隙よりやや下方の便器内面に当たって飛散しようとする尿は、ガード体にて飛散が防止されるが、このガード体は前記のように、スリット位置を違えて装着時には上下に位置し、スリット位置開による下部ガード体の空隙を上部ガート体が覆うので、尿飛散は確実に防止される。【０００９】  以上、本案について記したが、本案は便器内蓋に装着して用いる尿飛散防止具であり、内蓋下面と便器上縁との間隙を覆うことができるので、この間隙からの尿飛散を防止できるのである。従来はこのような物品が存在せず着座位での男性放尿時においては、尿放出方向に留意しなければならず、ときには前記間隙より尿が飛散漏洩して、トイレ内を汚す恐れがあったが、本案にてこれが防止できるものとなったのである。
また、本案品は小型軽量であって、その製作コスト面での負担が少なく、半ば消耗品的に簡易に利用することができる。なお、既例においては、シート体を布体としたが、柔軟性を有する他材料、例えば発泡合成樹脂にて形成してもよい。また、ガード体を軟質発泡合成樹脂にて形成したが、他素材にて形成してもよい。
なお、本案はドーナツ状内蓋用として考案されたものであるが、既例に近似の他構成としてもよい。以上のごとく、本案によって尿飛散防止に有効なる手段を得ることができる。
【符号の説明】
【００１０】１    シート体
２    舌片部
３    スリット
４    弱粘着層
５    ガード体
６    上部ガード体
７    下部ガード体
８    ガード体スリット
９    内蓋
１０  外蓋
１１  便器
【図１】
0003193671.tif 000003
【図２】
0003193671.tif 000004
【図３】
0003193671.tif 000005
【図４】
0003193671.tif 000006
【図５】
0003193671.tif 000007
【図６】
0003193671.tif 000008
【図７】
0003193671.tif 000009
(57)【要約】      （修正有）【課題】見た灯徒に驚きを与え、ＵＶ（紫外線）カット効果のある傘を提供する。【解決手段】雨水を弾く撥水素材と吸水する素材、ＵＶ（紫外線）カット効果の素材の組み合わせたものにより、傘の表面布部分を骨部材に取り付けて形成し、傘表面が雨水に濡れると吸水素材部分と撥水素材部分の色の違いにより柄が浮き出たように見せることを特徴とする。【選択図】図２
0003193665.tif 000002
【実用新案登録請求の範囲】
【請求項１】
水を弾く撥水素材と吸水する素材、ＵＶ（紫外線）カット効果の素材の組み合わせにより、傘の表面布部分を骨部材に取り付けて形成した事を特徴とする傘。
【請求項２】
傘表面が雨水に濡れると吸水部分と撥水素材部分の色の違い又吸水素材部分に水玉が出来、柄が浮き出たように見せる事を特徴とする請求項１記載の傘。
【請求項３】
傘表面の布部が乾燥している場合と、雨水に濡れた場合での変化を見せる事を特徴とする請求項１記載の傘
【請求項４】
傘表面の布部に水分が含まれた場合でも細い線がひょうげんでき、継続使用できることを特徴とする請求項１記載の傘。
【考案の詳細な説明】
【技術分野】
【０００１】
本考案は自然現象の雨や雪、紫外線から身を守る為の傘に関する。
【背景技術】
【０００２】
一般に傘は模様をプリントしたり無地のもので雨に濡れても模様が出たり変化するタイプは無かった。
【考案の概要】
【考案が解決しようとする課題】
【０００３】
本考案は、傘の表面布部分が雨に濡れると絵柄が鮮明に出現することにより、視覚的演出効果により見た人に衝撃と興味と驚きと楽しませる効果と、晴れた日にはＵＶ（紫外線）カット効果の有る。楽しく美容にも良い傘の提供を課題とする。
【課題を解決するための手段】
【０００４】
撥水素材と吸水素材の組み合わせと、ＵＶ（紫外線）カット効果のある素材の構成により、傘の表面布部分が雨に濡れると絵柄が出現し、その効果が継続的であることを特徴とするＵＶ（紫外線）カット効果の有る傘。
【考案の効果】
【０００５】
雨の日は外出しにくいものであるが、しかし『傘の表面が濡れると絵柄が出る』『鮮明に細い線も表現できる』『継続使用でも変わらない効果がある』『紫外線を遮るUV（紫外線）カット効果が有り晴れた日にも使用できる』その意外性と便利性は使用する楽しみと見た人にも興味と驚きを提供する。
【図面の簡単な説明】
【０００６】
【図１】無地傘で表面が濡れてない状態の側面図である。
【図２】傘の表面が濡れた状態の側面図である。
【図３】細い線まで柄が出ている生地が雨水を弾いている拡大図である。
【考案を実施するための形態】
【０００７】
布部材が骨部材に取り付けられ無地傘で有るが、表面生地が雨に濡れると絵柄が浮き出た様に見える、生地はＵＶ（紫外線）カットの効果が有る。
【実施例】
【０００８】
図１は、無地傘で表面が濡れてない状態の図である。
普通の無地傘に見える、日傘として使用できる。
図２は、傘の表面が状態の図である。
絵模様が浮き出て現れた様に見える。
図３は、細い線まで柄が出ている維持が雨水を弾いてる図である。
鮮明に絵模様が表現出来て細い線も表現できる。
繰り返し使用しても変わらない効果がある。
【０００９】
傘の表面布部を骨部材に取り付けて撥水効果と吸水効果の組み合わせと、UV（紫外線）カットの効果で構成している。撥水効果と吸水効果のバランスにより、傘表面布部が雨に濡れると鮮明な絵模様表現が出来て継続使用しても変わらない効果を得る。晴れた日には日傘としても使用できる。
【産業上の利用可能性】
【００１０】
本考案は自然現象の雨や雪、紫外線から身を守る為の傘として広く適応が可能である。
【符号の説明】
【００１１】
１   傘の表面
２   傘の表面の絵模様
３   傘の表面の絵模様の拡大
４   雨
【図１】
0003193665.tif 000003
【図２】
0003193665.tif 000004
【図３】
0003193665.tif 000005
【手続補正書】
【提出日】平成26年8月11日(2014.8.11)
【手続補正１】
【補正対象書類名】実用新案登録請求の範囲
【補正対象項目名】全文
【補正方法】変更
【補正の内容】
【実用新案登録請求の範囲】
【請求項１】
水を弾く撥水素材と吸水する素材、ＵＶ（紫外線）カット効果の素材の組み合わせたものからなる傘の表面布部分を骨部材に取り付けて形成した事を特徴とする傘。
(57)【要約】      （修正有）【課題】辞書をそのまま持ち歩け、使うときも、袋やケースから出す手間が無く、収納にも時間がかからず、辞書で調べるときの煩わしさを解決した辞書バックを提供する。【解決手段】辞書の大きさのブックカバーを広げた状態の左右に持ち手２を付け、右下に付箋用の内ポケット５を設け、右の持ち手の上にペンが差し込めるループ状の帯６を設け、辞書を閉じるために左の持ち手の中心にバンド３をつけ、バンドの先端と本体にマグネットボタン４を付けた。【選択図】図１
0003193632.tif 000002
【実用新案登録請求の範囲】
【請求項１】
辞書の大きさのブックカバーを広げた状態の左右に持ち手を付け、右下に付箋用の内ポケットを設けた。右の持ち手の上にペンが差し込めるループ状の帯を設けた。辞書を閉じるために、左の持ち手の中心にバンドをつけ、バンドの先端と本体にマグネットボタンを付けた辞書バックである。
【考案の詳細な説明】
【技術分野】
【０００１】  本考案は、辞書の携帯性と収納性を合わせ持つ辞書バッグに関するものである。
【背景技術】
【０００２】  従来、辞書のケースに入れ尚且つ、手提げ袋に入れて持ち歩いていた。
辞書を使うときに、辞書を袋から出し、ケースから出すため、手間と時間がかかっていた。
【先行技術文献】
【特許文献】
【０００３】
【特許文献１】特開２０１０−１３７５３１号公報
【特許文献２】特開２００３−５４１５８号公報
【特許文献３】特開平７−３７６５８号公報
【特許文献４】特開２０１０−１５５３５３公報
【特許文献５】特開２００７−２１３５公報
【考案の概要】
【考案が解決しようとする課題】
【０００４】  辞書につけた付箋があるため、ケースにはいらない。尚且つ、辞書を使うとき時間と手間がかかる。
本発明は以上の問題点を解決するものである。
【課題を解決するための手段】
【０００５】  本考案は、辞書のカバーに持ち手をつけて、バンドにマグネットボタンで開かないように留めた。
付箋が入るように内側にポケットをつけ、ペン入れをつけた。
【考案の効果】
【０００６】  本考案の辞書バッグは、持ち手があるので、辞書をそのまま持ち歩ける。
辞書を使うときも、袋やケースから出す手間が無く、収納にも時間がかからないという利点がある。
【図面の簡単な説明】
【０００７】
【図１】図１は辞書バッグを開いた状態の説明図である。
【図２】図２は辞書バッグを閉じた状態の説明図である。
【図３】図３は辞書バッグの使用状態を示す説明図である。
【考案を実施するための形態】
【０００８】  以下、本考案の説明をする。
辞書の大きさのブックカバーを広げた状態の左右に持ち手を付け、右下に付箋用の内ポケットを設けた。
右の持ち手の上にペンが差し込めるループ状の帯を設けた。
辞書を閉じるために、左の持ち手の中心にバンドをつけ、バンドの先端と本体にマグネットボタンを付け、開かないようにした。
本考案は以上のような構造である。
【０００９】  本考案を使用する時は、辞書の左右の表紙をブックカバーの様に差し込み、本体を閉じ、バンドを掛け、マグネットボタンで留める。
携帯するときは、持ち手を持つ。
持ち手をフックなどに下げておくことができる。
辞書を使うときは、バンドのマグネットボタンを外し、そのまま辞書を開くことができる。
付箋やメモ帳をポケットにいれておき、ペンさしにペンを入れておくことで、すぐにそれらを利用することができる。
【産業上の利用可能性】
【００１０】  本考案の辞書バックは、カバーと持ち手を一緒にすることによって、携帯でき、調べる時が容易である。また、ポケットには付箋やメモ帳が入り、ペン入れにペンを付属することによって、辞書で調べることはこのバックのみで解決する。
【符号の説明】
【００１１】  １  本体
２  持ち手
３  バンド
４  マグネットボタン
５  ポケット
６  ペン入れ
【図１】
0003193632.tif 000003
【図２】
0003193632.tif 000004
【図３】
0003193632.tif 000005
【手続補正書】
【提出日】平成26年7月28日(2014.7.28)
【手続補正１】
【補正対象書類名】実用新案登録請求の範囲
【補正対象項目名】全文
【補正方法】変更
【補正の内容】
【実用新案登録請求の範囲】
【請求項１】
辞書の大きさのブックカバーを広げた状態の左右に持ち手を付け、右下に付箋用の内ポケットを設け、右の持ち手の上にペンが差し込めるループ状の帯を設け、辞書を閉じるために左の持ち手の中心にバンドをつけ、バンドの先端と本体にマグネットボタンを付けた辞書バッグ。
【手続補正２】
【補正対象書類名】明細書
【補正対象項目名】００１０
【補正方法】変更
【補正の内容】
【００１０】  本考案の辞書バッグは、カバーと持ち手を一緒にすることによって、携帯でき、調べる時が容易である。また、ポケットには付箋やメモ帳が入り、ペン入れにペンを付属することによって、辞書で調べることはこのバッグのみで解決する。
(57)【要約】      （修正有）【課題】歯を磨いたときに出る液漏れが歯ブラシのハンドグリップ部分まで流れ落ちないようにした歯ブラシを提供する。【解決手段】ブラシ部、ヘッド部、ネック部、ハンドグリップ部分を備えた歯ブラシであって、ハンドグリップ部のネック部側端部に直径２５ミリ厚さ３ミリ程の立体的な半月板状の突起部分１を設け、突起部分の先端は１ミリ程度の丸みをつけたことを特徴とする。【選択図】図１
0003193636.tif 000002
【実用新案登録請求の範囲】
【請求項１】
既存の歯ブラシの形状を図１の１のように変え歯ブラシのハンドグリップ部分より手前に直径２５ミリ厚さ３ミリ程の立体的な半月板状の突起部分を作ることにより歯磨き時の液漏れが歯ブラシのハンドグリップ部分まで流れ落ちないよう液を回避させる構造を持つ歯ブラシ。
ただし、突起部分の先端は安全上１ミリ程度の丸みをつけるものとする。
【請求項２】
材質はシリコーンゴムや塩化ビニール等軟らかく弾力性のあるものとし、形状は図４のように直径２５ミリ厚さ３ミリ程の立体的な半月板状のもので、その中央部分に図５の３のように縦３〜４ミリ横８ミリ程の装着穴をあけた付属品。
この付属品を既存の歯ブラシのハンドグリップ部分より手前に装着することにより液漏れが歯ブラシのハンドグリップ部分まで流れ落ちないようにする付属品。
なお、この付属品を歯ブラシに装着するさい、様々なメーカーの歯ブラシが市販されておりその種類により歯ブラシの柄の太さや形状が千差万別であり、それに伴い付属品の装着穴の太さや形状を適合させる必要性がある。しがるに、全ての種類を網羅することは困難なため、ここでは、一般的な歯ブラシの太さや形状にそって表現するものとする。
【考案の詳細な説明】
【技術分野】
【０００１】  本考案は、毎日の歯磨き時に口の中から、歯ブラシの柄を伝わって液漏れが歯ブラシのハンドグリップ部分まで流れ落ちないようにする技術分野である。
【背景技術】
【０００２】  本考案は、歯ブラシの形状を変える、もしくは、それと同様の効果を持つ付属品を歯ブラシに装着することにより液漏れが歯ブラシのハンドグリップ部分まで流れ落ちないようにするものである。
【考案の開示】
【考案が解決しようとする課題】
【０００３】  現在、一般的に使用されている歯ブラシでは歯を磨いたときに歯ブラシの先端に溜まった液が柄を伝わってハンドグリップ部分まで流れ落ちてしまうのが現状である。
【課題を解決するための手段】
【０００４】  本考案は、従来の歯ブラシの形状を図１のように変える、もしくは、それと同様の効果を持つ図４の付属品を歯ブラシに装着することにより液漏れが歯ブラシのハンドグリップ部分まで流れ落ちないようにするものである。
【考案の効果】
【０００５】  上述の様に、本考案の形状を変えた歯ブラシを使用する、又は、それと同様の効果を持つ付属品を歯ブラシに装着することにより液漏れが歯ブラシのハンドグリップ部分まで流れ落ちない効果を持つ。
【考案を実施するための最良の形態】
【０００６】  実際に歯を磨いたときに液漏れが歯ブラシのハンドグリップ部分まで流れ落ちないようにするためには歯ブラシのハンドグリップ部分より手前に、海でたとえるならば防波堤のようなものをつくる必要がある。
それは、極端に大きいものである必要はなく図に示すとおり歯ブラシの柄の周囲５〜１０ミリ程度で充分であると考えられる。
【実施例】
【０００７】  以下、添付図面に従って実施例を説明する。図１は既存の歯ブラシの形状を変えたものである。
図面の１がポイントで歯ブラシのハンドグリップ部分より手前の部分を隆起させ立体的な半月板状の突起部分を作り液漏れをそこで回避させ漏れた液が下に落ち歯ブラシのハンドグリップ部分まで落ちない構造になっている。【０００８】  図４は歯ブラシのハンドグリップ部分より手前の部分に装着する立体的な半月板状の中央部分に装着穴を開けた付属品である。
この付属品を歯ブラシに装着することにより液漏れが歯ブラシのハンドグリップ部分まで流れ落ちないようにするものである。
なお、この付属品を歯ブラシに装着するさい、様々なメーカーの歯ブラシが市販されておりその種類により歯ブラシの柄の太さや形状が千差万別であり、それに伴い付属品の装着穴の太さや形状を適合させる必要性がある。しかるに、全ての種類を網羅することは困難なため、ここでは、一般的な歯ブラシの太さや形状にそって表現する。
【図面の簡単な説明】
【０００９】
【図１】  本考案の歯ブラシの側面図である。
【図２】  本考案の歯ブラシの断面図である。
【図３】  本考案の歯ブラシの上面図である。
【図４】  本考案の付属品の側面図である。
【図５】  本考案の付属品の平面図である。
【符号の説明】
【００１０】１  突起部分
２  突起部分断面部
３  付属品装着穴部
【図１】
0003193636.tif 000003
【図２】
0003193636.tif 000004
【図３】
0003193636.tif 000005
【図４】
0003193636.tif 000006
【図５】
0003193636.tif 000007
【手続補正書】
【提出日】平成26年7月14日(2014.7.14)
【手続補正１】
【補正対象書類名】実用新案登録請求の範囲
【補正対象項目名】全文
【補正方法】変更
【補正の内容】
【実用新案登録請求の範囲】
【請求項１】
ブラシ部、ヘッド部、ネック部、ハンドグリップ部分を備えた歯ブラシであって、ハンドグリップ部のネック部側端部に直径２５ミリ厚さ３ミリ程の立体的な半月板状の突起部分を設け、突起部分の先端は１ミリ程度の丸みをつけたことを特徴とする歯ブラシ。
【請求項２】
ブラシ部、ヘッド部、ネック部、ハンドグリップ部分を備えた歯ブラシに装着する歯ブラシの付属品であって、付属品はシリコーンゴムや塩化ビニール等軟らかく弾力性のあるもので構成し、直径２５ミリ厚さ３ミリ程の立体的な半月板状の形状とし、付属品の中央部分には縦３〜４ミリ横８ミリ程の装着穴をあけ、端の突起部分に１ミリ程度の丸みをつけた歯ブラシの付属品。